(57)【要約】  本開示のいくつかの態様は、デュアルコネクティビティ動作における電力共有、スケーリング、および電力ヘッドルーム報告のための手順を提供する。いくつかの態様によれば、ユーザ機器(UE)によるワイヤレス通信の方法が提供される。本方法は、一般に、UEの最大利用可能送信電力を決定するステップと、第1の基地局に対するアップリンク送信のために利用可能な第1の最低保証電力および第2の基地局に対するアップリンク送信のために利用可能な第2の最低保証電力を半静的に設定するステップと、UEの最大利用可能送信電力、第1の最低保証電力、および第2の最低保証電力に少なくとも部分的に基づいて、第1の基地局に対するアップリンク送信のために利用可能な第1の最大送信電力および第2の基地局に対するアップリンク送信のために利用可能な第2の最大送信電力を動的に決定するステップとを含む。
2017513377.tif 000002
【特許請求の範囲】
【請求項１】
ユーザ機器(UE)によるワイヤレス通信のための方法であって、
前記UEの最大利用可能送信電力を決定するステップと、
第1の基地局に対するアップリンク送信のために利用可能な第1の最低保証電力および第2の基地局に対するアップリンク送信のために利用可能な第2の最低保証電力を半静的に設定するステップと、
前記UEの前記利用可能最大送信電力、前記第1の最低保証電力、および前記第2の最低保証電力に少なくとも部分的に基づいて、前記第1の基地局に対するアップリンク送信のために利用可能な第1の最大送信電力および前記第2の基地局に対するアップリンク送信のために利用可能な第2の最大送信電力を動的に決定するステップと
を含む、方法。
【請求項２】
前記半静的に設定するステップが無線リソース制御(RRC)シグナリングによる、請求項1に記載の方法。
【請求項３】
前記第1の最大送信電力および前記第2の最大送信電力を動的に決定するステップが、
前記第1の最低保証電力と前記第2の最低保証電力の合計が前記UEの前記最大利用可能送信電力未満であると決定するステップと、
前記第1の最大送信電力と前記第2の最大送信電力の前記合計が前記最大利用可能送信電力以下であるように、前記第1の最低保証電力または前記第2の最低保証電力のうちの少なくとも1つに、ある量の電力を加えるステップと
を含む、請求項1に記載の方法。
【請求項４】
前記第1の最大送信電力および前記第2の最大送信電力を動的に決定するステップが、
前記第1の基地局に対するアップリンク送信のために未使用の前記第1の最低保証電力の量を決定するステップと、
前記第2の基地局に対するアップリンク送信のために利用可能な前記第2の最大送信電力を決定するとき、前記未使用量の少なくとも一部を含めるステップと
を含む、請求項1に記載の方法。
【請求項５】
前記未使用量が、前記第1の基地局に送信されるべきすべてのアップリンクチャネル上の前記第1の基地局に対する送信のために未使用の前記第1の最低保証電力量を含む、請求項4に記載の方法。
【請求項６】
前記第1の基地局および前記第2の基地局が非同期的に動作し、前記第1の最大送信電力および前記第2の最大送信電力を動的に決定するステップが、
第1の送信時間間隔(TTI)の間に、前記第1の基地局に対するアップリンク送信のために未使用の前記第1の最低保証電力の第1の量を決定するステップと、
前記第1のTTIと重複する第2のTTIの間に、前記第1の基地局に対するアップリンク送信のために未使用の前記第1の最低保証電力の第2の量を決定するステップと、
前記第2の最大送信電力を決定するとき、前記第1の未使用量または前記第2の未使用量のうち小さいほうの少なくとも一部を含めるステップと
を含む、請求項1に記載の方法。
【請求項７】
前記第1の基地局が、マスタ発展型ノードB(MeNB)またはセカンダリeNB(SeNB)を含み、前記第2の基地局がMeNBまたはSeNBのうちのもう一方を含む、請求項1に記載の方法。
【請求項８】
前記半静的に設定するステップが優先度付けに基づく、請求項1に記載の方法。
【請求項９】
前記優先度付けが、より高い優先度からより低い優先度の順で、物理アップリンク制御チャネル(PUCCH)、アップリンク制御情報(UCI)を伴う物理アップリンク共有チャネル(PUSCH)、およびUCIを伴わないPUSCHに送信電力を割り振るステップを含む、請求項8に記載の方法。
【請求項１０】
前記優先度付けが、より高い優先度で、マスタ発展型ノードB(MeNB)に関するチャネルに、より低い優先度で、セカンダリeNB(SeNB)に関する対応するチャネルに、送信電力を割り振るステップを含む、請求項8に記載の方法。
【請求項１１】
前記優先度付けが、より高い優先度からより低い優先度の順で、マスタ発展型ノードB(MeNB)に関する物理アップリンク制御チャネル(PUCCH)、セカンダリeNB(SeNB)に関するPUCCH、MeNBに関するアップリンク制御情報(UCI)を伴う物理アップリンク共有チャネル(PUSCH)、SeNbに関するUCIを伴うPUSCH、およびUCIを伴わないPUSCHに送信電力を割り振るステップを含む、請求項8に記載の方法。
【請求項１２】
前記優先度付けが、より高い優先度で、より高いサービス等級を有するトラフィックを搬送する物理アップリンク共有チャネル(PUSCH)に、より低い優先度で、より低いサービス等級を有するトラフィックを搬送するPUSCHに、送信電力を割り振るステップを含む、請求項8に記載の方法。
【請求項１３】
前記優先度付けが、前記第1の基地局および前記第2の基地局に対する物理アップリンク共有チャネル(PUSCH)送信のために電力を均一に分配するステップを含む、請求項8に記載の方法。
【請求項１４】
前記第1の最大送信電力および前記第2の最大送信電力を動的に決定するステップが、
前記第1の最大送信電力と前記第2の最大送信電力の合計が前記UEの前記最大利用可能送信電力を超えないように、電力の量を決定するステップ
を含む、請求項1に記載の方法。
【請求項１５】
前記第1の最大送信電力または前記第2の最大送信電力のうちの少なくとも1つを示す電力ヘッドルーム報告(PHR)を前記第1の基地局または前記第2の基地局のうちの少なくとも1つに送るステップ
をさらに含む、請求項1に記載の方法。
【請求項１６】
ワイヤレス通信のための装置であって、
前記装置の最大利用可能送信電力を決定することと、
第1の基地局に対するアップリンク送信のために利用可能な第1の最低保証電力および第2の基地局に対するアップリンク送信のために利用可能な第2の最低保証電力を半静的に設定することと、
前記装置の前記最大利用可能送信電力、前記第1の最低保証電力、および前記第2の最低保証電力に少なくとも部分的に基づいて、前記第1の基地局に対するアップリンク送信のために利用可能な第1の最大送信電力および前記第2の基地局に対するアップリンク送信のために利用可能な第2の最大送信電力を動的に決定することと
を行うように構成された少なくとも1つのプロセッサと、
前記少なくとも1つのプロセッサに結合されたメモリと
を備える、装置。
【請求項１７】
前記半静的に設定することが無線リソース制御(RRC)シグナリングによる、請求項16に記載の装置。
【請求項１８】
前記第1の最大送信電力および前記第2の最大送信電力を前記動的に決定することが、
前記第1の最低保証電力と前記第2の最低保証電力の合計が前記装置の前記最大利用可能送信電力未満であると決定することと、
前記第1の最大送信電力と前記第2の最大送信電力の前記合計が前記最大利用可能送信電力以下であるように、前記第1の最低保証電力または前記第2の最低保証電力のうちの少なくとも1つに、ある量の電力を加えることと
を含む、請求項16に記載の装置。
【請求項１９】
前記第1の最大送信電力および前記第2の最大送信電力を前記動的に決定することが、
前記第1の基地局に対するアップリンク送信のために未使用の前記第1の最低保証電力の量を決定することと、
前記第2の基地局に対するアップリンク送信のために利用可能な前記第2の最大送信電力を決定するとき、前記未使用量の少なくとも一部を含めることと
を含む、請求項16に記載の装置。
【請求項２０】
前記未使用量が、前記第1の基地局に送信されるべきすべてのアップリンクチャネル上の前記第1の基地局に対する送信のために未使用の前記第1の最低保証電力量を含む、請求項19に記載の装置。
【請求項２１】
前記第1の基地局および前記第2の基地局が非同期的に動作し、前記第1の最大送信電力および前記第2の最大送信電力を前記動的に決定することが、
第1の送信時間間隔(TTI)の間に、前記第1の基地局に対するアップリンク送信のために未使用の前記第1の最低保証電力の第1の量を決定することと、
前記第1のTTIと重複する第2のTTIの間に、前記第1の基地局に対するアップリンク送信のために未使用の前記第1の最低保証電力の第2の量を決定することと、
前記第2の最大送信電力を決定するとき、前記第1の未使用量または前記第2の未使用量のうち小さいほうの少なくとも一部を含めることと
を含む、請求項16に記載の装置。
【請求項２２】
前記第1の基地局が、マスタ発展型ノードB(MeNB)またはセカンダリeNB(SeNB)を含み、前記第2の基地局がMeNBまたはSeNBのうちのもう一方を含む、請求項16に記載の装置。
【請求項２３】
前記半静的に設定することが優先度付けに基づく、請求項16に記載の装置。
【請求項２４】
前記優先度付けが、より高い優先度からより低い優先度の順で、物理アップリンク制御チャネル(PUCCH)、アップリンク制御情報(UCI)を伴う物理アップリンク共有チャネル(PUSCH)、およびUCIを伴わないPUSCHに送信電力を割り振ることを含む、請求項23に記載の装置。
【請求項２５】
前記優先度付けが、より高い優先度で、マスタ発展型ノードB(MeNB)に関するチャネルに、より低い優先度で、セカンダリeNB(SeNB)に関する対応するチャネルに、送信電力を割り振ることを含む、請求項23に記載の装置。
【請求項２６】
前記優先度付けが、より高い優先度からより低い優先度の順で、マスタ発展型ノードB(MeNB)に関する物理アップリンク制御チャネル(PUCCH)、セカンダリeNB(SeNB)に関するPUCCH、MeNBに関するアップリンク制御情報(UCI)を伴う物理アップリンク共有チャネル(PUSCH)、SeNBに関するUCIを伴うPUSCH、UCIを伴わないPUSCHに送信電力を割り振ることを含む、請求項23に記載の装置。
【請求項２７】
前記優先度付けが、より高い優先度で、より高いサービス等級を有するトラフィックを搬送する物理アップリンク共有チャネル(PUSCH)に、より低い優先度で、より低いサービス等級を有するトラフィックを搬送するPUSCHに、送信電力を割り振ることを含む、請求項23に記載の装置。
【請求項２８】
前記優先度付けが、前記第1の基地局および前記第2の基地局に対する物理アップリンク共有チャネル(PUSCH)送信のために電力を均一に分配することを含む、請求項23に記載の装置。
【請求項２９】
前記第1の最大送信電力および前記第2の最大送信電力を前記動的に決定することが、
前記第1の最大送信電力と前記第2の最大送信電力の合計が前記装置の前記最大利用可能送信電力を超えないように、電力の量を決定すること
を含む、請求項16に記載の装置。
【請求項３０】
前記第1の最大送信電力または前記第2の最大送信電力のうちの少なくとも1つを示す電力ヘッドルーム報告(PHR)を前記第1の基地局または前記第2の基地局のうちの少なくとも1つに送ること
をさらに含む、請求項16に記載の装置。
【発明の詳細な説明】
【技術分野】
【０００１】
関連出願の相互参照
本出願は、それらのいずれも全体が参照により本明細書に組み込まれている、2014年3月31日に出願した米国仮特許出願第61/973,126号の利益を主張する、2015年3月27日に出願した米国特許出願第14/671,364号の優先権を主張するものである。
【０００２】
本開示の態様は、一般に、ワイヤレス通信システムに関し、より詳細には、デュアルコネクティビティ動作における電力共有および電力ヘッドルーム報告に関する。
【背景技術】
【０００３】
電話通信、ビデオ、データ、メッセージング、および放送などの様々な電気通信サービスを提供するために、ワイヤレス通信システムが広範囲に配備されている。通常のワイヤレス通信システムは、利用可能なシステムリソース(たとえば、帯域幅、送信電力)を共有することによって、複数のユーザとの通信をサポートすることが可能な多元接続技術を利用することができる。そのような多元接続技術の例としては、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
ワイヤレス通信ネットワークは、いくつかのユーザ機器(UE)についての通信をサポートし得るいくつかのeNodeBを含み得る。UEは、ダウンリンクおよびアップリンクを介してeNodeBと通信することができる。ダウンリンク(または順方向リンク)は、eNodeBからUEまでの通信リンクを指し、アップリンク(または逆方向リンク)は、UEからeNodeBまでの通信リンクを指す。
【０００５】
これらの複数のアクセス技術は、異なるワイヤレスデバイスが、都市、国家、地域、さらには世界レベルで通信することを可能にする共通のプロトコルを提供するために、様々な電気通信規格に採用されている。台頭しつつある電気通信規格の例は、ロングタームエボリューション(LTE:Long Term Evolution)である。LTEは、第3世代パートナーシッププロジェクト(3GPP:Third Generation Partnership Project)によって公表されたユニバーサルモバイルテレコミュニケーションシステム(UMTS:Universal Mobile Telecommunications System)のモバイル規格に対する拡張セットである。LTEは、スペクトル効率を改善することによってモバイルブロードバンドインターネットアクセスをより良くサポートすること、コストを下げること、サービスを改善すること、新しいスペクトルを利用すること、および、ダウンリンク(DL)上のOFDMA、アップリンク(UL)上のSC-FDMA、および多入力多出力(MIMO)アンテナ技術を使用して、他のオープン規格とより良く統合することを行うように設計されている。しかしながら、モバイルブロードバンドアクセスに対する需要が増加し続けるのに伴い、LTE技術のさらなる改善が必要である。好ましくは、これらの改善は、他の多元接続技術と、これらの技術を利用する電気通信規格とに適用可能であるべきである。
【先行技術文献】
【非特許文献】
【０００６】
【非特許文献１】「Evolved Universal Terrestrial Radio Access (E-UTRA); Physical Channels and Modulation」と題する3GPP TS 36.211
【発明の概要】
【課題を解決するための手段】
【０００７】
本開示のシステム、方法、およびデバイスは、いくつかの態様をそれぞれ有し、それらのうちの単一の態様だけが、その望ましい属性を担うわけではない。以下の特許請求の範囲によって表される本開示の範囲を限定することなく、いくつかの特徴がここで簡単に論じられる。この議論を考慮した後、また特に「発明を実施するための形態」と題するセクションを読んだ後、本開示の特徴が、ワイヤレスネットワーク内のアクセスポイントと局との間の改善された通信を含む利点をどのようにもたらすかが理解されよう。
【０００８】
デュアルコネクティビティ動作における電力共有および電力ヘッドルーム報告のための技法について本明細書で説明する。
【０００９】
一態様では、ワイヤレス通信のための方法が提供される。方法は、たとえば、ユーザ機器(UE)によって実行され得る。本方法は、一般に、UEの最大利用可能送信電力を決定するステップと、第1の基地局に対するアップリンク送信のために利用可能な第1の最低保証電力および第2の基地局に対するアップリンク送信のために利用可能な第2の最低保証電力を半静的に設定するステップと、UEの最大利用可能送信電力、第1の最低保証電力、および第2の最低保証電力に少なくとも部分的に基づいて、第1の基地局に対するアップリンク送信のために利用可能な第1の最大送信電力および第2の基地局に対するアップリンク送信のために利用可能な第2の最大送信電力を動的に決定するステップとを含む。
【００１０】
一態様では、UEによるワイヤレス通信のための装置が提供される。本装置は、一般に、UEの最大利用可能送信電力を決定することと、第1の基地局に対するアップリンク送信のために利用可能な第1の最低保証電力および第1の基地局に対するアップリンク送信のための第1の最低保証電力を半静的に設定することと、UEの最大利用可能送信電力、第1の最低保証電力、および第2の最低保証電力に少なくとも部分的に基づいて、第1の基地局に対するアップリンク送信のために利用可能な第1の最大送信電力および第2の基地局に対するアップリンク送信のために利用可能な第2の最大送信電力を動的に決定することとを行うように構成された、少なくとも1つのプロセッサと、少なくとも1つのプロセッサに結合されたメモリとを含む。
【００１１】
一態様では、UEによるワイヤレス通信のための装置が提供される。本装置は、一般に、UEの最大利用可能送信電力を決定するための手段と、第1の基地局に対するアップリンク送信のために利用可能な第1の最低保証電力および第2の基地局に対するアップリンク送信のための第2の最低保証電力を半静的に設定するための手段と、UEの最大利用可能送信電力、第1の最低保証電力、および第2の最低保証電力に少なくとも部分的に基づいて、第1の基地局に対するアップリンク送信のために利用可能な第1の最大送信電力および第2の基地局に対するアップリンク送信のために利用可能な第2の最大送信電力を動的に決定するための手段とを含む。
【００１２】
一態様では、コンピュータ実行可能コードを記憶しているコンピュータ可読媒体が提供される。本コンピュータ実行可能コードは、一般に、UEの最大利用可能送信電力を決定するためのコードと、第1の基地局に対するアップリンク送信のために利用可能な第1の最低保証電力および第2の基地局に対するアップリンク送信のための第2の最低保証電力を半静的に設定するためのコードと、UEの最大利用可能送信電力、第1の最低保証電力、および第2の最低保証電力に少なくとも部分的に基づいて、第1の基地局に対するアップリンク送信のために利用可能な第1の最大送信電力および第2の基地局に対するアップリンク送信のために利用可能な第2の最大送信電力を動的に決定するためのコードとを含む。
【００１３】
前述の目的および関連する目的を達成するために、1つまたは複数の態様は、以下に十分に説明し、特許請求の範囲の中で個々に指摘する特徴を備える。以下の説明および添付の図面は、1つまたは複数の態様のいくつかの例示的な特徴を詳細に記載する。これらの特徴は、しかしながら、様々な態様の原理が利用され得る様々な方法のいくつかしか示しておらず、この説明は、すべてのそのような態様と、それらの等価物とを含むことが意図されている。
【００１４】
本開示の上記で具陳した特徴が詳細に理解され得るように、添付の図面にその一部が示される態様を参照することによって、上記で簡単に要約された内容のより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１５】
【図１】本開示の態様による、例示的な電気通信システムを概念的に示すブロック図である。
【図２】本開示の態様による、電気通信システムにおける例示的なダウンリンクフレーム構造を概念的に示すブロック図である。
【図３】本開示の態様による、電気通信システムにおける例示的なアップリンクフレーム構造を示す図である。
【図４】本開示の態様による、例示的なeNodeBおよびユーザ機器(UE)の設計を概念的に示すブロック図である。
【図５】本開示の態様による、ユーザプレーンおよび制御プレーンのための例示的な無線プロトコルアーキテクチャを示す図である。
【図６】本開示の態様による、例示的なサブフレームリソース要素マッピングを示す図である。
【図７】本開示の態様による、例示的な連続キャリアアグリゲーションタイプを示す図である。
【図８】本開示の態様による、例示的な非連続キャリアアグリゲーションタイプを示す図である。
【図９】本開示の態様による、マルチキャリア構成で無線リンクを制御するための例示的な動作を示すブロック図である。
【図１０】本発明の態様による、同時データストリームを配信するためにマルチフローを使用する例示的なデュアルコネクティビティシナリオを示す図である。
【図１１】本開示の態様による、例示的な正の電力ヘッドルーム報告を示す図である。
【図１２】本開示の態様による、例示的な負の電力ヘッドルーム報告を示す図である。
【図１３】本開示の態様による、例示的なデュアルコネクティビティシナリオを示す図である。
【図１４】本開示の態様による、それらが同時であるか否かに基づいて、第1のeNBと第2のeNBとの間の動的電力共有を有効/無効にするための動作の例示的なコールフローを示すフローチャートである。
【図１５】本開示の態様による、有線規則による、第1のeNBと第2のeNBとの間の電力共有のための例示的な動作を示すフローチャートである。
【図１６】本開示の態様による、それらが同時であるか否かに基づく、かつ優先規則による、第1のeNBと第2のeNBとの間の電力共有のための動作の例示的なコールフローを示すフローチャートである。
【図１７】本開示の態様による、UEによるワイヤレス通信のための例示的な動作を示すフローチャートである。
【図１７Ａ】図17に示した動作を実行することが可能な例示的な手段を示す図である。
【発明を実施するための形態】
【００１６】
理解を促すために、可能な場合、図面に共通する同一要素を指すために、同一の参照番号が使用されている。特定の具陳なしに、一実施形態で開示する要素を他の実施形態に関して有利に利用できることが企図される。
【００１７】
以下に、本開示の様々な態様について、添付の図面を参照してより十分に説明する。しかしながら、本開示は、多くの異なる形態で具現化され得るものであり、本開示全体にわたって提示される任意の特定の構造または機能に限定されるものと解釈されるべきではない。むしろ、これらの態様は、本開示が周到で完全になり、本開示の範囲を当業者に十分に伝えるために与えられるものである。本明細書の教示に基づいて、本開示の範囲は、本開示の任意の他の態様とは独立に実装されるにせよ、または本開示の任意の他の態様と組み合わせて実装されるにせよ、本明細書で開示する本開示のいかなる態様をもカバーするものであることを、当業者は諒解されたい。たとえば、本明細書に記載の任意の数の態様を使用して、装置が実装され得るか、または方法が実施され得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示のいずれの態様も請求項の1つまたは複数の要素によって具体化され得ることを理解されたい。
【００１８】
本開示の態様は、デュアルコネクティビティ動作における電力共有および電力ヘッドルーム報告のための装置、方法、処理システム、およびコンピュータプログラム製品を提供する。本明細書でさらに詳細に説明するように、ユーザ機器(UE)は、eNB(たとえば、マスタeNBおよびセカンダリeNB)が電力共有を協調することができるように、すべてのセルにわたって電力ヘッドルーム報告(PHR)を提供することができる。いくつかの態様によれば、UEは、UEの総最大利用可能送信電力に基づいて、および別の基地局に対するアップリンク送信のために指定された電力に基づいて、第1の基地局に対するアップリンク送信のために利用可能な送信電力を決定することができる。いくつかの態様によれば、UEは、異なる基地局に対するアップリンク送信のために、ある基地局に対するアップリンク送信のために指定された未使用の電力を借りることができる。いくつかの態様によれば、基地局に対するアップリンク送信のために指定された電力は優先度付けに基づき得る。
【００１９】
特定の態様について本明細書で説明するが、これらの態様の数多くの変形および変更が本開示の範囲内に入る。好ましい態様のいくつかの利益および利点について述べるが、本開示の範囲は、特定の利益、用途、または目的に限定されることは意図していない。むしろ、本開示の態様は、異なるワイヤレス技術、システム構成、ネットワーク、および送信プロトコルに広く適用可能であることを意図しており、それらのうちのいくつかが例として図および好ましい態様の以下の説明において示される。発明を実施するための形態および図面は、限定的なものではなく、本開示を説明するものにすぎず、本開示の範囲は、添付の特許請求の範囲およびその均等物によって規定されている。
【００２０】
本明細書で説明する技法は、CDMA、TDMA、FDMA、OFDMA、SC-FDMAおよび他のネットワークのような、種々のワイヤレス通信ネットワークのために使用される場合がある。「ネットワーク」および「システム」という用語は多くの場合に互換的に使用される。CDMAネットワークは、ユニバーサル地上無線アクセス(UTRA:Universal Terrestrial Radio Access)、cdma2000などの無線技術を実装し得る。UTRAは、広帯域CDMA(WCDMA(登録商標))およびCDMAの他の変形を含む。cdma2000は、IS-2000規格、IS-95規格、およびIS-856規格をカバーする。TDMAネットワークは、モバイル通信用グローバルシステム(GSM(登録商標):Global System for Mobile Communications)などの無線技術を実装し得る。OFDMAネットワークは、発展型UTRA(E-UTRA:Evolved UTRA)、ウルトラモバイルブロードバンド(UMB:Ultra Mobile Broadband)、IEEE802.11(Wi-Fi)、IEEE802.16(WiMAX)、IEEE802.20、Flash-OFDMAなどの無線技術を実装し得る。UTRAおよびE-UTRAは、ユニバーサルモバイルテレコミュニケーションシステム(UMTS:Universal Mobile Telecommunication System)の一部である。3GPPロングタームエボリューション(LTE:Long Term Evolution)およびLTEアドバンスト(LTE-A:LTE-Advanced)は、E-UTRAを使用するUMTSの新しいリリースである。UTRA、E-UTRA、UMTS、LTE、LTE-A、およびGSM(登録商標)は、「3世代パートナーシッププロジェクト」(3GPP)という名称の組織からの文書に記載されている。cdma2000およびUMBは、「第3世代パートナーシッププロジェクト2(3GPP2:3rd Generation Partnership Project 2)」という名称の組織からの文書に記載されている。本明細書で説明する技法は、上記のワイヤレスネットワークおよび無線技術、ならびに他のワイヤレスネットワークおよび無線技術のために使用することができる。明確にするために、それらの技法のいくつかの態様がLTEについて以下に説明され、以下の説明の多くにおいて、LTE用語が用いられる。
【００２１】
次に、電気通信システムのいくつかの態様が、様々な装置および方法を参照して提示される。これらの装置および方法は、以下の詳細な説明で説明され、様々なブロック、モジュール、構成要素、回路、ステップ、プロセス、アルゴリズムなど(集合的に「要素」と呼ばれる)によって添付の図面に示される。これらの要素は、電子ハードウェア、コンピュータソフトウェア、またはそれらの任意の組合せを使用して実装されてよい。そのような要素をハードウェアとして実装するか、またはソフトウェアとして実装するかは、特定の適用例および全体的なシステムに課された設計制約に依存する。
【００２２】
例として、要素、または要素の任意の部分、または要素の任意の組合せが、1つまたは複数のプロセッサを含む「処理システム」を用いて実装されてよい。プロセッサの例には、本開示全体にわたって説明する様々な機能を実施するように構成された、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、ディスクリートのハードウェア回路、および他の適切なハードウェアが含まれる。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、関数などを意味するように広く解釈されるべきである。ソフトウェアは、コンピュータ可読媒体上に存在し得る。コンピュータ可読媒体は、非一時的コンピュータ可読媒体であり得る。非一時的コンピュータ可読媒体は、例として、磁気記憶デバイス(たとえば、ハードディスク、フロッピーディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびに、コンピュータによってアクセスされ、読み取られ得るソフトウェアおよび/または命令を記憶するための任意の他の適切な媒体を含む。コンピュータ可読媒体は、処理システム内に存在するか、処理システムの外部に存在するか、または処理システムを含む複数のエンティティにわたって分散される場合がある。コンピュータ可読媒体は、コンピュータプログラム製品において具現化され得る。例として、コンピュータプログラム製品は、パッケージング材料内のコンピュータ可読媒体を含んでよい。当業者は、具体的な適用例および全体的なシステムに課された設計制約全体に応じて、本開示全体にわたって提示される、説明した機能を最善の形で実装する方法を認識するであろう。
【００２３】
したがって、1つまたは複数の例示的な実施形態では、説明する機能は、ハードウェア、ソフトウェア、ファームウェア、またはそれらの任意の組合せで実装されてよい。ソフトウェアに実装される場合、機能は、コンピュータ可読媒体上の1つまたは複数の命令またはコードとして、記憶または符号化することができる。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気記憶デバイス、または、命令またはデータ構造の形態の所望のプログラムコードを搬送または記憶するために使用することができ、コンピュータによってアクセスすることができる、任意の他の媒体を含み得る。本明細書では、ディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)、およびブルーレイディスク(disc)を含み、ディスク(disk)は、通常、データを磁気的に再生し、ディスク(disc)は、データをレーザで光学的に再生する。上記の組合せも、コンピュータ可読媒体の範囲内に含まれるべきである。
【００２４】
例示的なワイヤレス通信システム
図1は、本開示の態様が実施され得るワイヤレス通信システム100を示す。たとえば、UE120は、UE120の最大利用可能送信電力を決定することができる。UE120は、2つ以上のeNB110に対するデュアルコネクティビティをサポートし得る。UE120は、UE120の最大利用可能送信電力を決定することができる。UE120は、第1のeNB110および第2のeNB110に対するアップリンク送信のために利用可能な保証最低電力を(たとえば、無線リソース制御(RRC)シグナリングによって)半静的に設定することができる。UE120は、次いで、UEの最大送信電力、第1の最低保証電力、および第2の最低保証電力に少なくとも部分的に基づいて、第1のeNB110および第2のeNB110に対するアップリンク送信のために利用可能な最大送信電力を決定することができる。UE120は、電力ヘッドルーム報告(PHR)内で、第1のeNB110および第2のeNB110に関して決定された最大送信電力をeNB110に送ることができる。
【００２５】
図1に示すシステムは、たとえば、ロングタームエボリューション(LTE)ネットワークであり得る。ワイヤレスネットワーク100は、いくつかの発展型ノードB(eNodeB)110と他のネットワークエンティティとを含み得る。eNodeBは、UEと通信する局であってよく、基地局、アクセスポイントなどとも呼ばれることがある。ノードBは、UEと通信する局の別の例である。
【００２６】
各eNodeB110は、特定の地理的領域に通信有効範囲を提供し得る。3GPPでは、「セル」という用語は、用語が使用される文脈に応じて、eNodeBのカバレッジエリアおよび/またはこのカバレッジエリアにサービスするeNodeBサブシステムを指すことがある。
【００２７】
eNodeBは、マクロセル、ピコセル、フェムトセル、および/または他のタイプのセルに通信カバレージを提供し得る。マクロセルは、比較的大きい地理的エリア(たとえば、半径数キロメートル)をカバーすることができ、サービスに加入しているUEによる無制限のアクセスを可能にし得る。ピコセルは、比較的小さい地理的エリアをカバーすることができ、サービスに加入しているUEによる無制限のアクセスを可能にし得る。フェムトセルは、比較的小さい地理的エリア(たとえば、自宅)をカバーすることができ、そのフェムトセルとの関連性を有するUE(たとえば、限定加入者グループ(CSG:Closed Subscriber Group)内のUE、自宅内のユーザのUEなど)による制限されたアクセスを可能にし得る。マクロセルのためのeNodeBはマクロeNodeBと呼ばれることがある。ピコセルのためのeNodeBはピコeNodeBと呼ばれることがある。フェムトセルのためのeNodeBは、フェムトeNodeBまたはホームeNodeBと呼ばれることがある。図1に示す例では、eNodeB110a、110b、および110cは、それぞれマクロセル102a、102b、および102cのためのマクロeNodeBであり得る。eNodeB110xは、ピコセル102xのためのピコeNodeBであり得る。eNodeB110yおよび110zは、それぞれ、フェムトセル102yおよび102zのためのフェムトeNodeBであり得る。eNodeBは、1つまたは複数(たとえば、3つ)のセルをサポートし得る。
【００２８】
ワイヤレスネットワーク100はまた、中継局を含み得る。中継局は、上流の局(たとえば、eNodeBまたはUE)からデータおよび/または他の情報の送信を受信し、下流の局(たとえば、UEまたはeNodeB)へデータおよび/または他の情報の送信を送る局である。中継局はまた、他のUEのための送信を中継するUEであり得る。図1に示す例では、中継局110rは、eNodeB110aとUE120rとの間の通信を容易にするために、eNodeB110aおよびUE120rと通信し得る。中継局はまた、中継eNodeB、リレーなどと呼ばれることがある。
【００２９】
ワイヤレスネットワーク100は、様々なタイプのeNodeB、たとえば、マクロeNodeB、ピコeNodeB、フェムトeNodeB、リレーなどを含む異種ネットワークであり得る。これらの様々なタイプのeNodeBは、様々な送信電力レベル、様々なカバレージエリア、およびワイヤレスネットワーク100内の干渉に対する様々な影響を有し得る。たとえば、マクロeNodeBは高い送信電力レベル(たとえば、20ワット)を有することがあり、一方でピコeNodeB、フェムトeNodeBおよびリレーはより低い送信電力レベル(たとえば、1ワット)を有することがある。
【００３０】
ワイヤレスネットワーク100は、同期動作または非同期動作をサポートし得る。同期動作では、複数のeNodeBが同様のフレームタイミングを有してもよく、異なるeNodeBからの送信は、時間的に適切に整列されてよい。非同期動作では、複数のeNodeBが異なるフレームタイミングを有してもよく、異なるeNodeBからの送信は、時間的に整列されなくてもよい。本明細書で説明される技法は、同期動作と非同期動作の両方に対して使用され得る。
【００３１】
ネットワークコントローラ130は、eNodeBのセットに結合し、これらのeNodeBのための協調および制御を実現し得る。ネットワークコントローラ130は、バックホールを介してeNodeB110と通信することができる。eNodeB110はまた、たとえば、直接またはワイヤレスバックホールまたはワイヤラインバックホールを介して間接的に、互いに通信することができる。
【００３２】
UE120(たとえば、120x、120yなど)は、ワイヤレスネットワーク100の全体にわたって散在していてもよく、各UEは固定型であってよく、またはモバイルであってもよい。UEはまた、端末、移動局、加入者ユニット、局などと呼ばれることもある。UEは、セルラーフォン、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、タブレット、ネットブック、スマートブックなどであり得る。UEは、マクロeNodeB、ピコeNodeB、フェムトeNodeB、リレーなどと通信することが可能であり得る。図1では、両側に矢印がある実線が、UEとサービングeNodeBとの間の所望の送信を示し、サービングeNodeBは、ダウンリンクおよび/またはアップリンク上でUEにサービスするように指定されるeNodeBである。両側に矢印のある点線は、UEとeNodeBとの間で干渉する送信を示す。
【００３３】
LTEは、ダウンリンク上で直交周波数分割多重化(OFDM)を利用し、アップリンク上でシングルキャリア周波数分割多重化(SC-FDM)を利用する。OFDMおよびSC-FDMは、システム帯域幅を、一般にトーン、ビンなどとも呼ばれる複数の(K個の)直交サブキャリアに区分する。各サブキャリアは、データで変調することができる。一般に、変調シンボルは、OFDMでは周波数領域において、SC-FDMでは時間領域において送られる。隣接するサブキャリア間の間隔は固定される場合があり、サブキャリアの総数(K)は、システム帯域幅によって決まる場合がある。たとえば、サブキャリアの間隔は15kHzであってよく、最小のリソース割り当て(「リソースブロック」と呼ばれる)は12個のサブキャリア(または180kHz)であってよい。その結果、公称FFTサイズは、1.25、2.5、5、10、または20メガヘルツ(MHz)のシステム帯域幅に対して、それぞれ、128、256、512、1024、または2048に等しくなり得る。システム帯域幅はまた、サブバンドに区切られ得る。たとえば、サブバンドは1.08MHz(すなわち、6個のリソースブロック)をカバーすることができ、1.25、2.5、5、10または20MHzのシステム帯域幅に対して、それぞれ、1、2、4、8または16個のサブバンドが存在し得る。
【００３４】
図2は、電気通信システム(たとえば、LTE)内で使用されるダウンリンク(DL)フレーム構造を示す。ダウンリンクのための送信タイムラインは、無線フレームのユニットに区分され得る。各無線フレームは、事前に決定された期間(たとえば10ミリ秒(ms))を持つことができ、0から9のインデックスを用いる10のサブフレームに区分され得る。各サブフレームは、2個のスロットを含むことができる。各無線フレームは、したがって、0から19のインデックスを用いる20個のスロットを含むことができる。各スロットは、L個のシンボル期間を含んでもよく、たとえば、通常のサイクリックプレフィックスに対して7個のシンボル期間を含んでもよく(図2に示すように)、または、拡張されたサイクリックプレフィックスに対して14個のシンボル期間を含んでもよい。各サブフレームの2L個のシンボル期間は、0から2L-1のインデックスを割り当てられ得る。利用可能な時間周波数リソースは、リソースブロックに区分され得る。各リソースブロックは、1スロットにN個のサブキャリア(たとえば12個のサブキャリア)をカバーし得る。
【００３５】
LTEでは、eNodeBは、eNodeBの各セルに対して、プライマリ同期信号(PSS)と、セカンダリ同期信号(SSS)とを送ることができる。プライマリ同期信号およびセカンダリ同期信号は、図2に示すように、通常のサイクリックプレフィックスを有する各無線フレームのサブフレーム0および5の各々において、それぞれ、シンボル期間6および5内で送られ得る。同期信号は、セルの検出および獲得のためにUEによって使用され得る。eNodeBは、サブフレーム0のスロット1において、シンボル期間0から3内で物理ブロードキャストチャネル(PBCH)を送ることができる。PBCHは、あるシステム情報を搬送することができる。
【００３６】
図2では第1のシンボル期間全体に描かれているが、eNodeBは、各サブフレームの第1のシンボル期間の一部のみにおいて物理制御フォーマットインジケータチャネル(PCFICH:Physical Control Format Indicator Channel)を送ることができる。PCFICHは、制御チャネルに関して使用されるシンボル期間(M)の数を伝達することができ、Mは1、2、または3に等しい場合があり、サブフレームによって変更し得る。Mは、また、たとえば、10未満のリソースブロックなど、小さいシステムの帯域幅について4に等しい場合がある。図2に示す例では、M=3である。eNodeBは、各サブフレームの最初のM個のシンボル期間内で(図2ではM=3)、物理HARQインジケータチャネル(PHICH)と物理ダウンリンク制御チャネル(PDCCH)とを送ることができる。PHICHは、ハイブリッド自動再送信(HARQ:hybrid automatic retransmission)をサポートするための情報を搬送し得る。PDCCHは、UEに対するアップリンクおよびダウンリンクでのリソースの割り当てに関する情報と、アップリンクチャネルに対する電力制御情報とを搬送することができる。図2では第1のシンボル期間に示されないが、PDCCHおよびPHICHもまた第1のシンボル期間に含まれることが、理解されよう。同様に、図2ではそのように示されないが、PHICHおよびPDCCHはまた、第2のシンボル期間と第3のシンボル期間の両方にある。eNodeBは、各サブフレームの残りのシンボル期間において、物理ダウンリンク共有チャネル(PDSCH)を送ることができる。PDSCHは、ダウンリンク上でのデータ送信のためにスケジュールされたUEのためのデータを搬送することができる。LTEにおける様々な信号およびチャネルは、「Evolved Universal Terrestrial Radio Access(E-UTRA); Physical Channels and Modulation」と題する3GPP TS 36.211で説明され、これは公開されている。
【００３７】
eNodeBは、eNodeBによって使用されるシステム帯域幅の中心1.08MHzにおいて、PSS、SSSおよびPBCHを送ることができる。eNodeBは、これらのチャネルが送られる各シンボル期間内の全体のシステム帯域幅にわたって、PCFICHおよびPHICHを送ることができる。eNodeBは、システム帯域幅のある部分で、UEのグループにPDCCHを送ることができる。eNodeBは、システム帯域幅の特定の部分で、特定のUEにPDSCHを送ることができる。eNodeBは、ブロードキャスト方式で、PSS、SSS、PBCH、PCFICHおよびPHICHをすべてのUEに送ることができ、ユニキャスト方式で、PDCCHを特定のUEに送ることができ、ユニキャスト方式で、PDSCHを特定のUEに送ることもできる。
【００３８】
いくつかのリソース要素は、各シンボル期間において利用可能であり得る。各リソース要素は、1個のシンボル期間において1個のサブキャリアをカバーすることができ、実数値または複素数値であり得る1個の変調シンボルを送るために使用され得る。各シンボル期間において参照信号に使用されないリソース要素は、リソース要素グループ(REG)に配列され得る。各REGは、1個のシンボル期間において4個のリソース要素を含み得る。PCFICHは、4個のREGを占有してもよく、4個のREGは、シンボル期間0において、周波数にわたってほぼ等しく離間され得る。PHICHは、3個のREGを占有してもよく、3個のREGは、1個または複数の設定可能なシンボル期間において、周波数にわたって分散され得る。たとえば、PHICHのための3個のREGは、シンボル期間0にすべて属し得るか、またはシンボル期間0、1および2に分散され得る。PDCCHは、9個、18個、32個、または64個のREGを占有してもよく、これらのREGは、最初のM個のシンボル期間において、利用可能なREGから選択され得る。REGの特定の組合せだけが、PDCCHに許可され得る。
【００３９】
UEは、PHICHおよびPCFICHに使用される特定のREGを知っていることがある。UEは、PDCCHのためのREGの異なる組合せを探索し得る。探索すべき組合せの数は通常、PDCCHに対して許可される組合せの数よりも少ない。eNodeBは、UEが探索する組合せのいずれにおいても、PDCCHをUEに送ることができる。
【００４０】
UEは、複数のeNodeBのカバレージ内にあり得る。これらのeNodeBの1つが、UEにサービスするために選択され得る。サービングeNodeBは、受信電力、経路損失、信号対雑音比(SNR)などのような、様々な基準に基づいて選択され得る。
【００４１】
図3は、電気通信システム(たとえば、LTE)におけるアップリンク(UL)フレーム構造の一例を示す図300である。ULのために利用可能なリソースブロックは、データセクションおよび制御セクションに区分化され得る。制御セクションは、システム帯域幅の2つのエッジ部に形成され得、設定可能なサイズを有し得る。制御セクション内のリソースブロックは、制御情報の送信のためにUEに割り当てられ得る。データセクションは、制御セクションに含まれないすべてのリソースブロックを含み得る。ULフレーム構造により、データセクションは連続的なサブキャリアを含むことになり、これにより、単一のUEが、データセクション内の連続するサブキャリアのすべてを割り当てられることが可能になり得る。
【００４２】
UEは、制御情報をeNBに送信するために、制御セクション内のリソースブロック310a、310bを割り当てられてもよい。UEはまた、データをeNBに送信するために、データセクション内のリソースブロック320a、320bを割り当てられてもよい。UEは、制御セクション内で割り当てられたリソースブロック上の物理UL制御チャネル(PUCCH)内で、制御情報を送信し得る。UEは、データセクションの内で割り当てられたリソースブロック上の物理UL共有チャネル(PUSCH)内で、データのみ、またはデータと制御情報の両方を送信し得る。UL送信は、サブフレームの両方のスロットにまたがることができ、周波数にわたってホップすることができる。
【００４３】
1組のリソースブロックは、初期システムアクセスを実行し、物理ランダムアクセスチャネル(PRACH)330内でUL同期を実現するために使用される場合がある。PRACH330は、ランダムシーケンスを搬送し、いかなるULデータ/シグナリングも搬送できない。各ランダムアクセスプリアンブルは、連続する6個のリソースブロックに対応する帯域幅を占有する。開始周波数は、ネットワークによって指定される。すなわち、ランダムアクセスプリアンブルの送信は、ある特定の時間リソースおよび周波数リソースに制限される。PRACHの場合、周波数ホッピングは存在しない。PRACHの試行は、単一のサブフレーム(1ミリ秒)内で、または少数の連続するサブフレームのシーケンス内で搬送され、UEは、フレーム(10ミリ秒)ごとに単一のPRACHの試行しか行うことができない。
【００４４】
図4は、本開示の態様を実装するために使用され得る、図1に示した基地局/eNB110およびUE120の例示的な構成要素を示す。AP110およびUE120の1つまたは複数の構成要素は、本開示の態様を実施するために使用され得る。たとえば、UE120のアンテナ452、プロセッサ466、458、464、および/もしくはコントローラ/プロセッサ480、ならびに/またはBS110のアンテナ434、プロセッサ430、420、438、および/もしくはコントローラ/プロセッサ440は、本明細書で説明し、図9および図14〜図17を参照して示す動作を実行するために使用され得る。
【００４５】
図4は、基地局/eNodeB110およびUE120の設計のブロック図を示し、これらは、図1の基地局/eNodeBの1つおよび図1のUEの1つであってよい。制限された接続の状況の場合、基地局110は図1のマクロeNodeB110cであってよく、UE120はUE120yであってよい。基地局110は、何らかの他のタイプの基地局でもよい。基地局110は、アンテナ434aから434tを備えてもよく、UE120は、アンテナ452aから452rを備えてもよい。
【００４６】
基地局110において、送信プロセッサ420は、データ源412からデータを受信し、コントローラ/プロセッサ440から制御情報を受信することができる。制御情報は、PBCH、PCFICH、PHICH、PDCCHなどのためのものであり得る。データは、PDSCHなどのためのものであり得る。プロセッサ420は、データと制御情報とを処理(たとえば、符号化およびシンボルマッピング)して、それぞれ、データシンボルと制御シンボルとを取得することができる。プロセッサ420はまた、たとえば、PSS、SSS、およびセル固有参照信号のための参照シンボルを生成することができる。送信(TX)多入力多出力(MIMO)プロセッサ430は、適用可能な場合には、データシンボル、制御シンボル、および/または参照シンボルに対して空間処理(たとえば、プリコーディング)を実行することができ、出力シンボルストリームを変調器(MOD)432aから432tに提供することができる。各変調器432は、(たとえば、OFDMなどのための)それぞれの出力シンボルストリームを処理し、出力サンプルストリームを取得することができる。各変調器432は、出力サンプルストリームをさらに処理(たとえば、アナログに変換、増幅、フィルタ処理、およびアップコンバート)し、ダウンリンク信号を取得することができる。変調器432aから432tからのダウンリンク信号を、それぞれアンテナ434aから434tを介して送信することができる。
【００４７】
UE120において、アンテナ452aから452rは、基地局110からダウンリンク信号を受信することができ、それぞれ、受信された信号を復調器(DEMOD)454aから454rに提供することができる。各復調器454は、それぞれの受信信号を調整(たとえば、フィルタ処理、増幅、ダウンコンバート、およびデジタル化)し、入力サンプルを取得することができる。各復調器454は、(たとえば、OFDMなどのための)入力サンプルをさらに処理し、受信シンボルを取得することができる。MIMO検出器456は、すべての復調器454aから454rから、受信シンボルを取得することができ、適用可能な場合には、受信シンボルに対してMIMO検出を実行することができ、被検出シンボルを提供することができる。受信プロセッサ458は、被検出シンボルを処理(たとえば、復調、デインターリーブ、および復号)し、UE120のための復号されたデータをデータシンク460に提供し、復号された制御情報をコントローラ/プロセッサ480に提供することができる。
【００４８】
アップリンク上で、UE120において、送信プロセッサ464は、データソース462から(たとえば、PUSCHについての)データを受信および処理し、コントローラ/プロセッサ480から(たとえば、PUCCHについての)制御情報を受信および処理し得る。また、送信プロセッサ464は、基準信号のための基準シンボルを生成することもできる。送信プロセッサ464からのシンボルは、TX MIMOプロセッサ466によりプリコーディングされ、適用可能な場合には、(たとえばSC-FDMなどのために)復調器454aから454rによりさらに処理され、基地局110に送信され得る。基地局110において、UE120からのアップリンク信号は、アンテナ434により受信され、変調器432により処理され、可能な場合には、MIMO検出器436により検出され、受信プロセッサ438によりさらに処理されて、UE120により送られた、復号されたデータおよび制御情報を取得することができる。受信プロセッサ438は、データシンク439に復号されたデータを提供し、コントローラ/プロセッサ440に復号された制御情報を提供し得る。
【００４９】
コントローラ/プロセッサ440および480は、それぞれ基地局110およびUE120における動作を指示し得る。基地局110におけるプロセッサ440ならびに/または他のプロセッサおよびモジュールは、たとえば、本明細書で説明する技法に関する様々なプロセスの実施を実行または指示することができる。UE120におけるプロセッサ480ならびに/または他のプロセッサおよびモジュールは、また、たとえば、図9および図13〜図17に示す機能的ブロックの実施および/または本明細書で説明する技法に対する他のプロセスを実行または指示し得る。メモリ442および482は、それぞれ、基地局110およびUE120のためのデータおよびプログラムコードを記憶することができる。スケジューラ444は、ダウンリンクおよび/またはアップリンク上でデータを送信するためにUEをスケジュールすることができる。
【００５０】
一構成では、基地局110は、アップリンク(UL)送信またはダウンリンク(DL)送信の少なくとも1つについてコンパクトなダウンリンク制御情報(DCI)を生成するための手段であって、特定の標準的なDCI形式と比較したとき、コンパクトなDCIは減らされたビット数を含む手段と、DCIを送信するための手段とを含む。一態様では、前述の手段は、前述の手段によって具陳された機能を実行するように構成された、コントローラ/プロセッサ440、メモリ442、送信プロセッサ420、変調器432、およびアンテナ434であり得る。別の態様では、前述の手段は、前述の手段によって具陳された機能を実行するように構成されたモジュールまたは任意の装置であり得る。一構成では、UE120は、アップリンク(UL)送信またはダウンリンク(DL)送信の少なくとも1つについてコンパクトなダウンリンク制御情報(DCI)を受信するための手段であって、DCIは、標準的なDCI形式の減らされたビット数を含む手段と、DCIを処理するための手段とを含む。一態様では、上記の手段は、上記の手段によって具陳された機能を実行するように構成された、コントローラ/プロセッサ480、メモリ482、受信プロセッサ458、MIMO検出器456、復調器454、およびアンテナ452であり得る。別の態様では、前述の手段は、前述の手段によって具陳された機能を実行するように構成されたモジュールまたは任意の装置であり得る。
【００５１】
図5は、LTEにおけるユーザプレーンおよび制御プレーンのための無線プロトコルアーキテクチャの一例を示す図500である。UEおよびeNBのための無線プロトコルアーキテクチャは、レイヤ1、レイヤ2、およびレイヤ3という3つのレイヤで示される。レイヤ1(L1レイヤ)は最下位レイヤであり、様々な物理レイヤ信号処理機能を実装する。本明細書では、L1レイヤは物理レイヤ506と呼ばれる。レイヤ2(L2レイヤ)508は、物理レイヤ506の上にあり、物理レイヤ506を介したUEとeNBとの間のリンクを担当する。
【００５２】
ユーザプレーンでは、L2レイヤ508は、媒体アクセス制御(MAC)サブレイヤ510、無線リンク制御(RLC)サブレイヤ512、およびパケットデータコンバージェンスプロトコル(PDCP:packet data convergence protocol)サブレイヤ514を含み、これらはネットワーク側のeNBで終端される。示されていないが、UEは、L2レイヤ508の上にいくつかの上位レイヤを有する場合があり、これらは、ネットワーク側のPDNゲートウェイ118で終端されるネットワークレイヤ(たとえば、IPレイヤ)と、接続の他端(たとえば、遠端UE、サーバなど)で終端されるアプリケーションレイヤとを含む。
【００５３】
PDCPサブレイヤ514は、様々な無線ベアラと論理チャネルとの間の多重化を実現する。PDCPサブレイヤ514はまた、無線送信のオーバーヘッドを低減する上位レイヤのデータパケット用のヘッダ圧縮、データパケットを暗号化することによるセキュリティ、およびeNB間のUE用のハンドオーバのサポートを実現する。RLCサブレイヤ512は、上位レイヤのデータパケットのセグメント化および再アセンブリ、紛失したデータパケットの再送信、ならびに、ハイブリッド自動再送要求(HARQ)による順序の狂った受信を補償するデータパケットの並べ替えを実現する。MACサブレイヤ510は、論理チャネルとトランスポートチャネルとの間の多重化を実現する。MACサブレイヤ510はまた、1つのセル内の様々な無線リソース(たとえば、リソースブロック)をUEの間で割り振ることを担当する。MACサブレイヤ510はまた、HARQ動作を担当する。
【００５４】
制御プレーンでは、UEおよびeNBのための無線プロトコルアーキテクチャは、制御プレーン用のヘッダ圧縮機能がないことを除き、物理レイヤ506およびL2レイヤ508について実質的に同じである。制御プレーンはまた、レイヤ3(L3レイヤ)内に無線リソース制御(RRC)サブレイヤ516を含む。RRCサブレイヤ516は、無線リソース(すなわち、無線ベアラ)を取得すること、およびeNBとUEとの間のRRCシグナリングを使用して下位レイヤを設定することを担当する。
【００５５】
図6は、通常の巡回プレフィックスを有するダウンリンクの場合の2つの例示的なサブフレームフォーマット610および620を示す。ダウンリンクに利用可能な時間周波数リソースはリソースブロックに区分され得る。各リソースブロックは、1個のスロット内の12個のサブキャリアをカバーし得、いくつかのリソース要素を含み得る。各リソース要素は、1個のシンボル期間において1個のサブキャリアをカバーすることができ、実数値または複素数値であり得る1個の変調シンボルを送るために使用され得る。
【００５６】
サブフレームフォーマット610は、2つのアンテナを装備したeNB用に使用され得る。CRSは、シンボル期間0、4、7および11内にアンテナ0および1から送信され得る。基準信号は、送信機および受信機によってアプリオリに知られる信号であり、パイロットと呼ばれることもある。CRSは、たとえば、セル識別情報(ID)に基づいて生成される、セルに固有の基準信号である。図6において、ラベルRaをもつ所与のリソース要素について、アンテナaからそのリソース要素上で変調シンボルが送信されることがあり、他のアンテナからそのリソース要素上で変調シンボルが送信されないことがある。サブフレームフォーマット620は、4つのアンテナを装備したeNB用に使用され得る。CRSは、シンボル期間0、4、7および11内にアンテナ0および1から送信され、シンボル期間1および8内にアンテナ2および3から送信され得る。サブフレームフォーマット610と620の両方の場合、CRSは、セルIDに基づいて決定され得る等間隔サブキャリア上で送信することができる。異なるeNBが、そのCRSを、そのセルIDに応じて、同じまたは異なるサブキャリア上で送信し得る。サブフレームフォーマット610と620の両方の場合、CRS用に使われないリソース要素は、データ(たとえば、トラフィックデータ、制御データ、および/または他のデータ)を送信するために使用され得る。
【００５７】
LTEにおけるPSS、SSS、CRSおよびPBCHは、公開されている「Evolved Universal Terrestrial Radio Access(E-UTRA); Physical Channels and Modulation」と題する3GPP TS 36.211に記載されている。
【００５８】
インターレース構造は、LTEにおけるFDD用のダウンリンクおよびアップリンクの各々のために使用され得る。たとえば、0〜Q-1のインデックスをもつQ個のインターレースを定義することができ、ここで、Qは、4、6、8、10、またはある他の値に等しくてよい。各インターレースは、Q個のフレームだけ離間したサブフレームを含むことができる。具体的には、インターレースqは、サブフレームq、q+Q、q+2Qなどを含んでよく、ここで、q∈{0,...,Q-1}である。
【００５９】
ワイヤレスネットワークは、ダウンリンクおよびアップリンク上でのデータ送信のためにハイブリッド自動再送信(HARQ)をサポートし得る。HARQの場合、送信機(たとえば、eNB)は、パケットが受信機(たとえば、UE)によって正しく復号されるまで、または何らかの他の終了条件に遭遇するまで、パケットの1つまたは複数の送信を送り得る。同期HARQの場合、パケットのすべての送信を単一のインターレースのサブフレーム内で送信することができる。非同期HARQの場合、パケットの各送信は、任意のサブフレーム中で送られ得る。
【００６０】
UEは、複数のeNBのカバレージエリア内に位置し得る。これらのeNBのうちの1つが、UEにサービスするために選択され得る。サービングeNBは、受信信号強度、受信信号品質、経路損失など、様々な基準に基づいて選択され得る。受信信号品質は、信号対雑音干渉比(SINR:signal-to-noise-and-interference ratio)、もしくは基準信号受信品質(RSRQ:reference signal received quality)、または何らかの他のメトリックによって定量化され得る。UEは、UEが1個または複数の干渉eNBからの高い干渉を観測し得る支配的干渉シナリオにおいて動作し得る。
【００６１】
例示的なキャリアアグリゲーション
LTE-アドバンストUEは、各方向の送信のために用いられる最大で全体が100MHz(5個のコンポーネントキャリア)のキャリアアグリゲーションで割り振られる、最大で20MHzの帯域幅のスペクトルを使用し得る。LTEアドバンストモバイルシステムでは、連続CAおよび非連続CAという、2つのタイプのキャリアアグリゲーション(CA)の方法が提案されている。これらは、図7および図8に示す。複数の利用可能なコンポーネントキャリアが相互に隣接しているとき、連続的なCAが発生する(図7)。他方では、複数の利用可能なコンポーネントキャリアが周波数帯域に沿って分離されているとき、非連続的なCAが発生する(図8)。非連続CAと連続CAの両方が、複数のLTE/コンポーネントキャリアを統合し、LTEアドバンストUEの単一のユニットにサービスする。様々な実施形態によれば、マルチキャリアシステム(キャリアアグリゲーションとも呼ばれる)で動作するUEは、「プライマリキャリア」と呼ばれることもある同一のキャリア上で、複数のキャリアの特定の機能、たとえば、制御およびフィードバックの機能を統合するように構成される。サポートをプライマリキャリアに依存する残りのキャリアは、関連するセカンダリキャリアと呼ばれる。たとえば、UEは、任意選択の専用チャネル(DCH)、予定されない許可、物理アップリンク制御チャネル(PUCCH)、および/または物理ダウンリンク制御チャネル(PDCCH)により提供されるような、制御機能を統合することができる。図9は、1つの例による、物理チャネルをグループ化することによってマルチキャリアワイヤレス通信システムの無線リンクを制御するための方法900を示す。示すように、方法は、ブロック905で、少なくとも2つのキャリアからの制御機能を1つのキャリア上に統合して、プライマリキャリアおよび1個または複数の関連するセカンダリキャリアを形成するステップを含む。次にブロック910で、通信リンクが、プライマリキャリアおよび各セカンダリキャリアに対して確立される。次いで、ブロック915で、プライマリキャリアに基づいて通信が制御される。
【００６２】
例示的なマルチフロー
現在、UEは1個のeNodeBからデータを受信する。しかしながら、セルエッジ上のユーザは、データレートを制限し得る高いセル間干渉を受ける場合がある。マルチフローは、ユーザが2個のeNodeBからデータを同時に受信することを可能にする。これは、UEが同時に2個の隣接するセル内の2個のセルタワーの範囲内にあるとき、2つのまったく別個のストリーム内で2個のeNodeBからデータを送ること、および受信することによって機能する。デバイスがどちらかのタワーの到達範囲のエッジ上にあるとき、ユーザは2個のタワーに同時に話す(図10参照)。2個の異なるNodeBからモバイルデバイスに対して2個の独立したデータをスケジュールすることによって、マルチフローはネットワーク内で不均一な負荷を活用する。これは、ネットワーク容量が高まる間にセルエッジユーザの経験を改善するのに役立つ。一例では、セルエッジにおけるユーザに関するスループットデータ速度が2倍になり得る。「マルチフロー」はデュアルキャリアHSPAと同様であるが、違いが存在する。たとえば、デュアルキャリアHSPAは、デバイスに同時に接続するために複数のタワーに対する接続性を可能にしない。
【００６３】
例示的な電力ヘッドルーム
図11は、正の電力ヘッドルーム報告を示す図1100である。図12は、負の電力ヘッドルーム報告(PHR)を示す図1200である。PHRは、UEにおいて利用可能なヘッドルームを報告する。電力ヘッドルームは、電力増幅器が動作の非線形領域に入る前に、電力増幅器が定格電力からどれだけ離れて動作するかを示す。PHRは、UEにおける送信電力能力または送信電力制限についてeNBに知らせるために、UEからeNBに送信される。UEにおいて使用される電力スペクトル密度に関する情報はPHRによって提供される。一例では、PHRは1dBの増分を伴い、+40dBから-23dBの報告範囲で6ビットとして符号化される。合計で64個の異なる電力ヘッドルーム値が6ビットシグナリングによって表される。報告範囲の負の部分は、それが受信したアップリンクリソース許可が現在のUE送信電力1102よりも大きい送信電力を必要とする範囲をeNodeBにシグナリングするためにUEによって使用される。応答して、eNodeBは後続の許可のサイズを削減し得る。最大電力低減(MPR)は、電力増幅器が最大送信電力(MTP)からどのくらいバックオフするかを制御するために関連するワイヤレス通信プロトコル(たとえば、3GPP規格)によって定義され得るか、または対応する波形の送信の間に使用される修正されたMTPを確立する目的で、MTPを調整するために使用され得る。
【００６４】
例示的なデュアルコネクティビティ
デュアルコネクティビティはセルラー業界において利益を有し得る。デュアルコネクティビティ解決策は、UEが、コロケートされておらず、非理想的なバックホール(たとえば、バックホール1320)を介して接続され得る2個のeNBs、すなわち、マスタeNB(MeNB)およびセカンダリeNB(SeNB)に同時に接続することを可能にする。したがって、異なるeNBは異なるスケジューラなどを使用し得る。図13に示すように、UE120は、マクロセル1302とスモールセル1304とに二重接続され得、eNBsは、非理想的バックホール1320を介して接続され得、異なるキャリア周波数で動作し得る。キャリアアグリゲーションでは複数のLTE/コンポーネントキャリアは統合されて、単一ユニットのLTEアドバンストUEにサービスする。
【００６５】
いくつかの態様では、(別個のeNBsが非理想的ブラックホールを介して接続される)この展開シナリオの分散の性質により、eNBにわたって分散型スケジューリングと独立したMAC(媒体アクセス制御)動作とをサポートするために、両方のeNB(MeNBおよびSeNB)に関する別個のアップリンク制御チャネルが使用される。これは、単一のMAC/スケジューリングエンティティがすべてのキャリアにわたって動作し、単一のアップリンク制御チャネルが使用されるCA(キャリアアグリゲーション)展開とは異なる。
【００６６】
現在のLTE仕様では、プライマリセル(MeNBのPCell)は、アップリンク制御チャネル、たとえば、PUCCHを搬送している唯一のセルである。デュアルコネクティビティの場合、SeNBに関するアップリンク制御チャネルをサポートするために、SeNB上に特殊セルが導入される。また、デュアルコネクティビティでは、MeNBとSeNBの両方に関するアップリンク制御チャネルが、各eNBに関して1つ使用される。SeNBに関するアップリンク制御チャネルの存在は、SeNB無線リンク監視(S-RLM:SeNB Radio Link Monitoring)手順の使用を動機付ける。この手順は、SeNB無線リンク障害(S-RLF:SeNB Radio Link Failure)をトリガするためにUEによって使用され得る。S-RLFは、特に、UEがSeNBに対するダウンリンク接続を失ったとき、UEがアップリンク制御チャネルを妨害するのを防ぐ手順をトリガするために有用である。特殊なRLF手順がSeNBに関して使用されるもう1つの理由は、MeNBがSeNBとは異なるチャネル状態を受けることが可能であることである。
【００６７】
いくつかの態様では、レガシーRLF手順とは異なり、MeNBに対する接続が残っているため、S-RLFはRRC接続の損失を伴わない。したがって、いくつかのCプレーン手順(RRC接続再確立など)はS-RLFの下で適用可能でない場合がある。
【００６８】
デュアルコネクティビティシナリオにおける例示的な電力共有、スケーリング、および電力ヘッドルーム報告
デュアルコネクティビティでは、ユーザ装置UE(たとえば、UE120)はマスタeNodeB(MeNB)(たとえば、マクロ1302)およびセカンダリeNB(SeNB)(たとえば、スモールセル1304)に同時に接続され得る。キャリアアグリゲーション(CA)はMeNBおよびSeNBにおいてサポートされ得る。マスタセルグループ(MCG)はMeNBと関連付けられたサービングセルのグループを指す場合があり、セカンダリセルグループ(SCG)はSeNBと関連付けられたサービングセルのグループを指す場合がある。
【００６９】
MeNBおよびSeNBは、独立して動作し、異なるスケジューラを使用するため、スケジューリング判定はサブフレームレベルにおいて協調されなくてよい。したがって、eNBが、他のeNBのセルグループによる所望の送信電力に関する正確かつ瞬時の情報を取得することは実現可能でない場合がある。これは、両方のeNBがUE送信電力を同時に上昇させることを試み、UEにその最大送信電力能力を超えさせる状況をもたらし得る。
【００７０】
ロングタームエボリューション(LTE)システム(たとえば、LTEリリース10以降)など、キャリアアグリゲーションを用いたいくつかのシステムでは、スケジューリング判定は、eNB内のすべてのセルにわたって共同で協調可能であり、これは、UE送信電力を軽減させるか、またはUE送信電力がその最大送信電力能力を超えるのを回避するのに役立つ可能性がある。
【００７１】
したがって、必要とされるのは、UEがセルにわたる協調を可能にするための電力が制限されているときの、電力共有、電力ヘッドルーム報告、および電力スケーリングのための技法および装置である。
【００７２】
本開示の態様は、デュアルコネクティビティ動作における電力共有および電力ヘッドルーム報告のための装置、方法、処理システム、およびコンピュータプログラム製品を提供する。本明細書でさらに詳細いに説明するように、UEは、eNB(たとえば、MeNBおよびSeNB)が電力共有を協調することができるように、すべてのセルにわたって電力ヘッドルーム報告(PHR)を提供することができる。
【００７３】
いくつかの態様によれば、UEは、UEの保証最低送信電力に基づいて、および第1の基地局および第2の基地局に対するアップリンク送信のために指定された半静的に設定された最低保証電力に基づいて、第1の基地局および第2の基地局に対するアップリンク送信のための(最大)利用可能送信電力を決定することができる。
【００７４】
いくつかの態様によれば、UEは、異なる基地局に対するアップリンク送信のために、ある基地局に対するアップリンク送信のために指定された未使用の電力を借りることができる。いくつかの態様によれば、基地局に対するアップリンク送信のために指定された電力は優先度付けに基づき得る。
【００７５】
例示的な電力ヘッドルーム報告
最大送信電力は、MCG/MeNBおよびSCG/SeNBの各々に関して画定され得る。したがって、各eNBに総最大送信電力の共有分(share)を割り振ることができ、割り振られた共有分はそのeNBのセルグループに適用可能であり得る。いくつかの態様によれば、eNBは、UEの最大送信電力を越えないことを確実にするために、半静的な形でその所望の共有分を協調することができる。
【００７６】
いくつかの態様によれば、eNBがUEの送信電力のその共有分を協調および更新するのを可能にするために、電力ヘッドルーム報告(PHR)は、UEに関するすべてのアクティブ化されたセルの電力ヘッドルーム情報を含み得る。
【００７７】
半静的なセルグループ電力設定の潜在的な欠陥は、所与のサブフレーム上でUEに関する瞬時のスケジューリング状態を反映できないことである。たとえば、UEがセルグループに関して設定された値に厳密に従う場合、UEはサブフレーム内のその送信電力を不要に制限する可能性があり、その場合、依然として十分な電力を有しながら、1つのeNBだけがアクティブである。すなわち、UEが第1のeNBに送信していないにもかかわらず、または第1のeNBに関するすべての割り振られた電力を利用していないにもかかわらず、第2のeNBに関して第1のeNBから未使用の電力は第1のeNBに半静的にすでに割り振られているため、UEはその電力を借りることができない。
【００７８】
いくつかの態様によれば、そのようなシナリオにおける性能への影響を回避するために、UEは他のeNBへの送信の電力要件を満たすために、あるeNBへの送信からの残りの何らかの未使用の電力を利用することができる。いくつかの態様によれば、PHRは、公称最大電力値または対応するeNBの設定された最大電力に基づき得る。言い換えれば、MeNBまたはSeNBのセルに関するPHRは、そのセルに関して設定された最大電力に関して算出され得る。
【００７９】
例示的な電力共有
例示的な実装形態では、MeNBとSeNBとの間の動的電力共有は、eNBが同期であるか、または非同期であるかに基づいて、有効化または無効化され得る。たとえば、UEは、2個のeNBが同期であることを示すことができ、その結果、動的電力共有分を割り振ることができる。代替として、UEが2個のeNB間の非同期動作を示す場合、動的電力共有は禁止され(無効化され)得る。
【００８０】
図14は、本開示のいくつかの態様による、それらのeNBが同期であるか否かに基づいて、第1のeNBと第2のeNBとの間の動的電力共有を有効/無効にするための動作の例示的な動作を示すフローチャートである。図14に示すように、プロセス1400は1402で開始し得る。1404において、第1のeNBおよび第2のeNBが同期であるかまたは非同期であるかを決定することができる。
【００８１】
eNBが同期である場合、1406で、動的電力共有を有効にし、1410で、プロセスは終了する。代替として、eNBが非同期である場合、1408で、動的電力共有を無効にし、1410で、プロセスは終了する。
【００８２】
いくつかの態様によれば、各eNBに関する電力制限(たとえば、eNBに対するアップリンクのために利用可能な最大送信電力)およびUEに関する電力制限(たとえば、最大利用可能送信電力)が存在し得る。いくつかの態様によれば、eNB間の非同期動作の場合、たとえば、もう1つのeNBに対するアップリンク送信のために割り振られた電力から、あるeNBに対するアップリンク送信のために割り振られた電力を借りることが望ましい場合がある。他のeNBに対するアップリンク送信は、第1のeNBに対するアップリンク送信を重複させることができる(たとえば、eNBに対する送信は2つの重複する送信時間間隔(TTI)内であり得る)。
【００８３】
いくつかの態様によれば、UEが第2のeNBに関して指定された電力から借りることができるか、およびどの程度の電力を借りることができるかを決定するとき、UEは、第2のeNBに対するアップリンク送信を重複させることを考慮することができる。たとえば、TTIは1つのサブフレーム長であり得る。UL送信は、時間の点で重複し得るが、異なるキャリア周波数上にあり得る。
【００８４】
したがって、UEはキャリアを統合することができるため、UEは異なるキャリア周波数上で第1のeNBと第2のeNBとに同時に(たとえば、重複数TTI上で)通信することができる。いくつかの態様によれば、2つの重複するサブフレームは、時分割複信(TDD)/周波数分割複信(FDD)動作に応じて、通常のアップリンクサブフレームであってよく、通常のダウンリンクサブフレームであってよく、または特殊サブフレームであってもよい。
【００８５】
例示的な実装形態では、周波数f1およびサブフレームn上で第1のeNBに対するアップリンク送信の間、UEは、f1上でサブフレームnと時間の点で部分的に重複する、それぞれ、周波数f2上で、サブフレームnおよびn+1上で第2のeNBに対する2つのアップリンク送信を送ることができる。第1のeNBに対するアップリンク送信のために使用する目的で、第2のeNBに関して指定された電力から借りることができるかどうか、およびどの程度の電力を借りることができるかを決定するとき、UEは第2のeNBに対する2つの重複するアップリンク送信に関して所望の電力の最大値を考慮することができる。
【００８６】
たとえば、UEは、重複しているTTIの間に第2のeNBに対する送信から残った電力の最小値を超えない、第2のeNBに関して指定された電力量を借りることができる。第2のeNBに対する重複期間内の送信電力が第2のeNBに対する最大許容送信電力を越えない場合、UEは、第1のeNBに対するサブフレーム内のアップリンク送信のための電力を第2のeNBから借りることができる。代替として、第2のeNBの2つの重複するサブフレームが何のアップリンク送信も有さない場合だけ、UEは第1のeNBに対するサブフレーム内のアップリンク送信のための電力を借りることができる。
【００８７】
いくつかの態様によれば、第1のeNBに対するアップリンク送信のために使用するために第2のeNBに指定されたプール(すなわち、最大送信電力の共有分)から電力を借りるとき、借りる電力は、優先度付けに従って(たとえば、LTE Rel-10/11規則に記載された優先度に従って)、第1のeNBの送信チャネル内で使用するために指定され得る。
【００８８】
図15は、本開示の態様による、優先規則による、第1のeNBと第2のeNBとの間の電力共有を示すフローチャート1500である。たとえば、図15に示すように、より高い優先度の順で、まず物理アップリンク制御チャネル(PUCCH)に、次いで、アップリンク制御情報(UCI)を搬送する物理アップリンク共有チャネル(PUSCH)に電力を割振り、次いでUCI伴わないPUSCHに残りの電力を割り振ることによって(1504)、優先度に従って電力を割り振ることができる(1502)。
【００８９】
いくつかの態様によれば、UEは、第2のeNBに対する送信のために指定された電力から残りの(すなわち、未使用の)電力が存在する場合だけ、UEは、第1のeNBに対する送信のために使用する目的で、第2のeNBに対する送信のために指定された電力を借りることができる。たとえば、UEによって第2のeNBに送信されるべきすべてのチャネルに関する所望の電力が満たされた後でだけ、UEは第2のeNBに対するアップリンク送信のために指定された電力を借りることができる。
【００９０】
いくつかの態様によれば、UEはeNBチャネルにわたる優先度付けに基づいて、eNBおよびチャネルにわたって電力を動的に共有することができる。例示的な実装形態では、UEはまず、MeNBがすべてのチャネルに関してSeNBから電力を借りることを考慮することができる。UEによるSeNBに対する対応するアップリンクチャネルの送信に対して、MeNBのアップリンクチャネルに優先度を与えることができる。
【００９１】
たとえば、MeNBに送信されるべきUCIを伴うPUSCHに関する電力をSeNBに関する電力プールから借りることができるが、SeNBに対するUCIを伴うかまたはUCIを伴わないPUSCH送信の後、UEは十分な残りの電力を有さない場合がある。代替として、UEはまず、UCIなどの制御情報を搬送するチャネル(すなわち、PUCCH、またはUCIを伴うPUSCH)に関してだけ、MeNBに対するアップリンク送信のためにSeNBから電力を借りることを考慮することができる。
【００９２】
いくつかの態様によれば、他のeNBに対するPUSCH送信のための電力要件が満たされた後に残りの電力が存在する場合だけ、1つのeNBに対する、PUSCH送信など、データを搬送するチャネルに関する電力をもう1つのeNBの最大送信電力から借りることが可能である。
【００９３】
代替として、PUSCH送信のために残っている総電力をUEによってeNBに送信されるすべてのPUSCHにわたって均一に分配することが可能である。さらに別の代替では、PUSCH送信のために残っている総電力はUE実装形態に依存し得る。たとえば、より高いサービス等級を有する(たとえば、サービス品質(QoS)ベースの)トラフィックを搬送するPUSCHの送信を優先させることが可能である。どちらがより高い等級のサービスを有するかに応じて、PUSCHのアップリンク送信はMeNBに対するもの、またはSeNBに対するものであってよい。
【００９４】
図16は、本開示のいくつかの態様による、それらが同時であるか否かに基づく、かつ優先規則による、第1のeNBと第2のeNBとの間の電力共有を示すフローチャートである。図16に示すように、プロセス1600は1602で開始し得る。1604で、第1のeNBおよび第2のeNBが同期であるかまたは非同期であるかを決定することができる。
【００９５】
eNBが非同期である場合、プロセスは1608で停止する。代替として、eNBが同期である場合、1606で、第2のeNBに関して電力を借りている場合、第1のeNBに関して残りの電力が存在することになるかどうかを決定することができる。そうでない場合、プロセスはブロック1608で終了する。残りの電力が存在することになる場合、1610で、動的電力共有を有効にすることができ、1612で、優先度に従って電力を割り振ることができ、プロセスは1608で終了する。
【００９６】
図17は、本開示のいくつかの態様による、ワイヤレス通信のための例示的な動作1700を示す。動作1700は、たとえば、UE(たとえば、UE120)によって実行され得る。動作1700は、1702で、UEの最大利用可能送信電力を決定することによって開始し得る。1704で、UEは、第1の基地局に対するアップリンク送信のために利用可能な第1の最低保証電力および第2の基地局に対するアップリンク送信のために利用可能な第2の最低保証電力を半静的に設定することができる。
【００９７】
1706で、UEは、UEの最大利用可能送信電力、第1の最低保証電力、および第2の最低保証電力に少なくとも部分的に基づいて、第1の基地局に対するアップリンク送信のために利用可能な第1の最大送信電力および第2の基地局に対するアップリンク送信のために利用可能な第2の最大送信電力を動的に決定することができる。
【００９８】
1708で、優先度に従って電力を割り振ることができる。1710で、より高い優先度からより低い優先度の順で、物理アップリンク制御チャネル(PUCCH)、アップリンク制御情報(UCI)を伴う物理アップリンク共有チャネル(PUSCH)、およびUCIを伴わないPUSCHに電力を割り振ることができる。1712で、より高い優先度でマスタ発展型ノードB(MeNB)に関するチャネルに、より低い優先度でセカンダリeNB(SeNB)に関するチャネルに、電力を割り振ることができる。
【００９９】
1714で、より高い優先度からより低い優先度の順で、MeNB PUCCH、SeNB PUCCH、UCIを伴うMeNB PUCCH、UCIを伴うSeNB PUCCH、UCIを伴わないすべてのPUSCHに送信電力を割り振ることができる。1716で、より高い優先度で、より高いサービス等級を有するトラフィックを搬送する物理アップリンク共有チャネル(PUSCH)に、より低い優先度で、より低いサービス等級を有するトラフィックを搬送するPUSCHに、電力を割り振ることができる。
【０１００】
いくつかの態様によれば、上で説明したPHRおよび電力共有技法を適用することは、デュアルコネクティビティUEがUE最大送信電力能力を超える送信を送ることを回避し得る。これらの技法はまた、基地局に送信するために指定された未使用電力を活用することもでき、これは効率性を高めることができる。
【０１０１】
本明細書において開示される方法は、説明される方法を達成するための1つまたは複数のステップまたは動作を含む。方法ステップおよび/または動作は、特許請求の範囲を逸脱することなく互いと交換され得る。言い換えれば、ステップまたは動作の特定の順序が明記されていない限り、その順序および/または特定のステップおよび/または動作の使用は、特許請求の範囲を逸脱することなく修正され得る。
【０１０２】
本明細書で使用されるとき、項目のリストのうちの「少なくとも1つ」を指す語句は、単一の部材を含む、それらの項目の任意の組合せを指す。一例として、「a、b、またはcのうちの少なくとも1つ」は、a、b、c、a-b、a-c、b-c、およびa-b-c、ならびに複数の同じ要素の任意の組合せ(たとえば、a-a、a-a-a、a-a-b、a-a-c、a-b-b、a-c-c、b-b、b-b-b、b-b-c、c-c、およびc-c-c、またはa、b、およびcの任意の他の順序)をカバーするものとする。
【０１０３】
本明細書で使用される場合、「決定する」という用語は、多種多様なアクションを包含する。たとえば、「決定する」ことは、算出すること、計算すること、処理すること、導出すること、調査すること、ルックアップすること(たとえば、テーブル、データベース、または別のデータ構造をルックアップすること)、確認することなどを含んでもよい。さらに、「決定する」ことは、受信すること(たとえば、情報を受信すること)、アクセスすること(たとえば、メモリ内のデータにアクセスすること)などを含んでもよい。さらに、「決定する」ことは、解決すること、選択すること、選ぶこと、確立することなど含んでもよい。
【０１０４】
上記の説明は、本明細書で説明した様々な態様を当業者が実践できるようにするために与えられている。これらの態様に対する様々な変更形態は、当業者に容易に明らかになり、本明細書において規定される一般原理は、他の態様に適用される場合がある。したがって、特許請求の範囲は本明細書に示した態様に限定されるものではなく、文言通りの特許請求の範囲に整合するすべての範囲を与えられるべきであり、単数形の要素への言及は、そのように明記されていない限り、「唯一無二の」を意味することを意図せず、「1つまたは複数の」を意味する。別段に明記されていない限り、「いくつかの」という用語は1つまたは複数の、を指す。当業者に知られているか、または後で当業者に知られることになる、本開示全体にわたって説明した種々の態様の要素のすべての構造的および機能的均等物は、参照により本明細書に明確に組み込まれ、特許請求の範囲によって包含されることを意図している。さらに、本明細書で開示したものは、そのような開示が特許請求の範囲において明示的に具陳されているか否かにかかわらず、公共用に提供されることは意図していない。特許請求の範囲のいかなる要素も、「のための手段」という句を使用して要素が明確に具陳されていない限り、または方法クレームの場合に「のためのステップ」という句を使用して要素が具陳されていない限り、米国特許法第112条第6項の規定の下で解釈されるべきではない。
【０１０５】
上記で説明した方法の様々な動作は、対応する機能を実行することができる任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含んでよい。一般に、図に示した動作がある場合、それらの動作は、同様の番号を有する対応する動作のミーンズプラスファンクション構成要素を有し得る。たとえば、図17に示す動作1700は、図17Aに示す手段1700Aに対応する。
【０１０６】
たとえば、受信するための手段および送るための手段は、図4に示したeNB110の復調器432および/またはアンテナ434、または図4に示したUE120の復調器454および/またはアンテナ452であり得る。決定するための手段および含めるための手段は、図4に示したeNB110のTX MIMOプロセッサ430、送信プロセッサ420、受信プロセッサ438および/もしくはコントローラ/プロセッサ440、または図4に示したUE120のTX MIMOプロセッサ466、受信プロセッサ458、送信プロセッサ464、および/もしくはコントローラ/プロセッサ480など、1つまたは複数のプロセッサを含み得る処理システムを含むことが可能である。
【０１０７】
いくつかの態様によれば、そのような手段は、上で説明した、様々なアルゴリズムを(たとえば、ハードウェア内で、または実行しているソフトウェア命令によって)実装することによって、対応する機能を実行するように構成された処理システムによって実装され得る。たとえば、UEの最大利用可能送信電力を決定するためのアルゴリズム、第1の基地局に対するアップリンク送信のために利用可能な第1の最低保証電力および第2の基地局に対するアップリンク送信のための第2の最低保証電力を半静的に設定するためのアルゴリズム、およびUEの最大利用可能送信電力、第1の最低保証電力、および第2の最低保証電力に少なくとも部分的に基づいて、第1の基地局に対するアップリンク送信のために利用可能な第1の最大送信電力および第2の基地局に対するアップリンク送信のために利用可能な第2の最大送信電力を動的に決定するためのアルゴリズム。
【０１０８】
本開示に関して説明した様々な例示的な論理ブロック、モジュール、および回路は、本明細書に記載の機能を実行するように設計された汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタロジック、ディスクリートハードウェア構成要素、またはそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえばDSPおよびマイクロプロセッサの組合せ、複数のマイクロプロセッサ、1つまたは複数のマイクロプロセッサとDSPコア、または任意の他のそのような構成として実装され得る。
【０１０９】
ハードウェアで実装される場合、例示的なハードウェア構成は、ワイヤレスノード内の処理システムを含み得る。処理システムは、バスアーキテクチャを用いて実装され得る。バスは、処理システムの特定の適用例、および全体的な設計制約に応じて、任意の数の相互接続するバスおよびブリッジを含むことができる。バスは、プロセッサ、機械可読媒体、およびバスインターフェースを含む様々な回路を互いにリンクすることができる。バスインターフェースは、バスを介して、とりわけ、処理システムにネットワークアダプタを接続するために使用され得る。ネットワークアダプタは、物理層の信号処理機能を実装するために使用され得る。ユーザ端末120(図1参照)の場合において、ユーザインターフェース(たとえば、キーパッド、ディスプレイ、マウス、ジョイスティック、など)もバスに接続され得る。バスは、当該技術分野において周知であり、したがって、これ以上説明することはない、タイミング源、周辺装置、電圧調整器、電力管理回路などの様々な他の回路もリンクすることができる。プロセッサは、1つまたは複数の汎用プロセッサおよび/または専用プロセッサを用いて実装され得る。例には、マイクロプロセッサ、マイクロコントローラ、DSPプロセッサ、およびソフトウェアを実行できる他の回路が含まれる。当業者は、特定の用途とシステム全体に課せられた全体的な設計制約とに応じて処理システムに関する説明した機能を最良に実装する方法を認識するであろう。
【０１１０】
各機能は、ソフトウェアで実装される場合、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語、またはその他の名称で呼ばれるかどうかにかかわらず、命令、データ、またはそれらの任意の組合せを意味するように広く解釈されるものである。コンピュータ可読媒体は、ある場所から別の場所へのコンピュータプログラムの転送を容易にする任意の媒体を含む、コンピュータ記憶媒体とコンピュータ通信媒体との両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合され得る。代替として、記憶媒体は、プロセッサに一体化されてもよい。例として、機械可読媒体は、すべてバスインターフェースを介してプロセッサがアクセスし得る送信線路、データによって変調された搬送波、および/またはワイヤレスノードとは別個の命令が記憶されたコンピュータ可読記憶媒体を含み得る。代替的または追加的に、機械可読媒体またはその任意の部分は、キャッシュおよび/または汎用レジスタファイルがそうであるようにプロセッサに統合されてよい。機械可読記憶媒体の例としては、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは他の任意の適切な記憶媒体、またはそれらの任意の組合せを含み得る。機械可読媒体はコンピュータプログラム製品内で具現化され得る。
【０１１１】
ソフトウェアモジュールは、単一の命令、または多数の命令を含んでよく、いくつかの異なるコードセグメント上で、異なるプログラム間で、および複数の記憶媒体にわたって分散され得る。コンピュータ可読媒体は、いくつかのソフトウェアモジュールを含み得る。ソフトウェアモジュールは、プロセッサなどの装置によって実行されたとき、処理システムに様々な機能を実行させる命令を含む。ソフトウェアモジュールは、送信モジュールと受信モジュールとを含み得る。各ソフトウェアモジュールは、単一の記憶デバイス内に常駐することができるか、または複数の記憶デバイスにわたって分散することができる。例として、トリガイベントが発生したときに、ソフトウェアモジュールをハードドライブからRAMにロードすることができる。ソフトウェアモジュールの実行中、プロセッサは、アクセス速度を高めるために、命令のいくつかがキャッシュにロードされ得る。次いで、1つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実装されることが理解されよう。
【０１１２】
また、任意の接続部も、厳密にはコンピュータ可読媒体と呼ばれる。たとえば、ソフトウェアが、同軸ケーブル、光ファイバケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、コンパクトディスク(disc)(CD)、レーザーディスク(登録商標)(dics)、光ディスク(disc)、デジタル多用途ディスク(disc)(DVD)、フロッピーディスク(disk)、およびBlu-ray(登録商標)ディスク(disc)を含み、ここで、ディスク(disk)は、通常、データを磁気的に再生し、ディスク(disc)は、レーザを用いて光学的にデータを再生する。したがって、いくつかの態様では、コンピュータ可読媒体は非一時的コンピュータ可読媒体(たとえば、有形媒体)を含み得る。さらに、他の態様では、コンピュータ可読媒体は、一時的なコンピュータ可読媒体(たとえば、信号)を含み得る。上記の組合せも、コンピュータ可読媒体の範囲内に含まれるべきである。
【０１１３】
したがって、いくつかの態様は、本明細書で提示した動作を実行するためのコンピュータプログラム製品を含むことができる。たとえば、そのようなコンピュータプログラム製品は、命令が記憶(および/または符号化)されているコンピュータ可読媒体を含むことができ、命令は、本明細書で説明した動作を実行するために1つまたは複数のプロセッサによって実行可能である。たとえば、UEの最大利用可能送信電力を決定するための命令、第1の基地局に対するアップリンク送信のために利用可能な第1の最低保証電力および第2の基地局に対するアップリンク送信のための第2の最低保証電力を半静的に設定するための命令、およびUEの最大利用可能送信電力、第1の最低保証電力、および第2の最低保証電力に少なくとも部分的に基づいて、第1の基地局に対するアップリンク送信のために利用可能な第1の最大送信電力および第2の基地局に対するアップリンク送信のために利用可能な第2の最大送信電力を動的に決定するための命令。
【０１１４】
さらに、本明細書で説明した方法および技法を実行するためのモジュールおよび/または他の適切な手段を、適用可能な場合には、ユーザ端末および/または基地局によってダウンロードすることができ、かつ/または別の方法で取得できることを理解されたい。たとえば、本明細書で説明した方法を実行するための手段の転送を容易にするために、そのようなデバイスをサーバに結合することができる。代替的として、本明細書で説明した種々の方法は、デバイスに記憶手段を結合するか、またはデバイスに記憶手段を設けると、ユーザ端末および/または基地局が種々の方法を取得することができるように、記憶手段(たとえば、RAM、ROM、コンパクトディスク(CD)またはフロッピーディスクなどの物理記憶媒体など)を介して提供することができる。さらに、本明細書で説明した方法および技法をデバイスに提供するための任意の他の適切な技法を利用することができる。
【０１１５】
特許請求の範囲は、上に示した厳密な構成および構成要素に限定されないことを理解されたい。上記説明した方法および装置の配置、動作および詳細には、特許請求の範囲を逸脱することなく、様々な修正、変更および変形が行われ得る。
【符号の説明】
【０１１６】
100  ワイヤレス通信システム
102a  マクロセル
102b  マクロセル
102c  マクロセル
102x  ピコセル
102y  フェムトセル
102z  フェムトセル
110  eNB、第1のeNB、第2のeNB、発展型ノードB(eNodeB)、基地局、AP
110a  eNodeB
110b  eNodeB
110c  eNodeB、マクロeNodeB
110r  中継局
110x  eNodeB
110y  eNodeB
110z  eNodeB
118  PDNゲートウェイ
120  UE、ユーザ端末
120r  UE
120x  UE
120y  UE
130  ネットワークコントローラ
300  図
310a  リソースブロック
310b  リソースブロック
320a  リソースブロック
320b  リソースブロック
330  物理ランダムアクセスチャネル(PRACH)
412  データ源
420  プロセッサ、送信プロセッサ
430  送信(TX)多入力多出力(MIMO)プロセッサ、プロセッサ
432  変調器
432a〜432t  変調器(MOD)
434  アンテナ
434a〜434t  アンテナ
436  MIMO検出器
438  プロセッサ、受信プロセッサ
439  データシンク
440  コントローラ/プロセッサ
442  メモリ
444  スケジューラ
452  アンテナ
452a〜452r  アンテナ
454  復調器
454a〜454r  復調器(DEMOD)
456  TX MIMO検出器
458  プロセッサ、受信プロセッサ
460  データシンク
462  データソース
464  プロセッサ、送信プロセッサ
466  プロセッサ、TX MIMOプロセッサ
480  コントローラ/プロセッサ、プロセッサ
482  メモリ
500  図
506  物理レイヤ
508  レイヤ2(L2レイヤ)
510  媒体アクセス制御(MAC)サブレイヤ
512  無線リンク制御(RLC)サブレイヤ
514  パケットデータコンバージェンスプロトコル(PDCP)サブレイヤ
516  無線リソース制御(RRC)サブレイヤ
610  サブフレームフォーマット
620  サブフレームフォーマット
900  方法
1100  図
1200  図
1400  プロセス
1500  フローチャート
1600  プロセス
1700  動作
【図１】
2017513377.tif 000003
【図２】
2017513377.tif 000004
【図３】
2017513377.tif 000005
【図４】
2017513377.tif 000006
【図５】
2017513377.tif 000007
【図６】
2017513377.tif 000008
【図７】
2017513377.tif 000009
【図８】
2017513377.tif 000010
【図９】
2017513377.tif 000011
【図１０】
2017513377.tif 000012
【図１１】
2017513377.tif 000013
【図１２】
2017513377.tif 000014
【図１３】
2017513377.tif 000015
【図１４】
2017513377.tif 000016
【図１５】
2017513377.tif 000017
【図１６】
2017513377.tif 000018
【図１７】
2017513377.tif 000019
【図１７Ａ】
2017513377.tif 000020
【国際調査報告】
2017513377.tif 000021
2017513377.tif 000022